(57)【要約】【課題】  急な打ち合わせ等でメモを記載する必要性が生じた場合に、容易にメモし得る名刺入れを提供する。【解決手段】  平面視で矩形状に形成されていると共に内部に名刺を収容可能な名刺収容部１０と、名刺収容部１０の一端１０ａから延出していると共に名刺収容部１０に折り重ね可能なカバー部２０とを有する二つ折り名刺入れ１であって、名刺収容部１０にカバー部２０を折り重ねた状態において名刺収容部１０に対向するカバー部２０の内表面２０ｂに、紙体Ｎを保持可能な紙体保持部２１Ａ，２１Ｂが設けられていることを特徴とする。【選択図】  図３
0003178070.tif 000002
【実用新案登録請求の範囲】
【請求項１】
平面視で矩形状に形成されていると共に内部に名刺を収容可能な名刺収容部と、上記名刺収容部の一端から延出していると共に上記名刺収容部に折り重ね可能なカバー部とを有する二つ折り名刺入れであって、
上記名刺収容部に上記カバー部を折り重ねた状態において上記名刺収容部に対向する上記カバー部の内表面に、紙体を保持可能な紙体保持部が設けられていることを特徴とする二つ折り名刺入れ。
【請求項２】
上記紙体保持部は、上記名刺を保持可能であることを特徴とする請求項１に記載の二つ折り名刺入れ。
【請求項３】
上記紙体保持部は、互いに間隙を介して並設された一対の保持帯を有し、
上記一対の保持帯は、それぞれの長さ方向における両端部が上記カバー部に縫着され、上記紙体の両端を挿し込んで上記紙体を保持することを特徴とする請求項１に記載の二つ折り名刺入れ。
【請求項４】
上記一対の保持帯は、それぞれ上記カバー部の一対の短辺縁に沿って設けられていることを特徴とする請求項３に記載の二つ折り名刺入れ。
【請求項５】
上記一対の保持帯は、互いに上記間隙を介して対向するそれぞれの内側端が上記紙体の挿込部とされる一方、互いに背向するそれぞれの外側端が上記カバー部に縫着されていることを特徴とする請求項３に記載の二つ折り名刺入れ。
【考案の詳細な説明】
【技術分野】
【０００１】
本考案は、二つ折り名刺入れの改良に関する。
【背景技術】
【０００２】
一般に、会社内等での打ち合わせ、急な電話又は急に外部の者と接触する場合等の際に、その内容を忘れないようにメモを記載する必要性が生じる場合がある。このような場合、従来は、手帳等を事前に用意して、打ち合わせ等の場所に持参してメモを記載する必要があり、急な打ち合わせの場合には、手帳等を用意することは困難であった。
【０００３】
下記特許文献１においては、急な打ち合わせの場合にもメモを記載できるように、身分証明書ケースの内表面に、メモパットを保持し得るメモホルダー部が形成されたメモパット付きＩＤカードケースが開示されている。
【０００４】
しかしながら、上記メモパッド付きＩＤカードケースは、自己が所属する会社内やこの会社近傍で身に付けるものであることから、メモをすることができる場所が限られる、という不具合がある。
【０００５】
ところで、通常、移動中や商談中に携帯する名刺入れに関しては、現在のところメモ用紙付きのものが存在していない。その結果、名刺入れを携帯していたとしてもメモを記載する必要がある場合に迅速に対応できなかった。
【特許文献１】実登３１３６３５５号公報
【考案の開示】
【考案が解決しようとする課題】
【０００６】
本考案はこのような従来からの不具合を解決するためのものであって、その課題は、急な打ち合わせ等でメモを記載する必要性が生じた場合に、容易にメモし得る名刺入れを提供することにある。
【課題を解決するための手段】
【０００７】
上記課題達成のため、請求項１記載の考案にあっては、平面視で矩形状に形成されていると共に内部に名刺を収容可能な名刺収容部と、上記名刺収容部の一端から延出していると共に上記名刺収容部に折り重ね可能なカバー部とを有する二つ折り名刺入れであって、上記名刺収容部に上記カバー部を折り重ねた状態において上記名刺収容部に対向する上記カバー部の内表面に、紙体を保持可能な紙体保持部が設けられていることを特徴とする。
【０００８】
請求項１記載に係る二つ折り名刺入れにあっては、紙体を保持可能な紙体保持部がカバー部の内表面に設けられている。これにより、カバー部の内表面に紙体を保持させることができるので、この紙体にメモを記載することができる。
【０００９】
請求項２記載の考案にあっては、上記紙体保持部は、上記名刺を保持可能であることを特徴とする。
請求項２記載に係る二つ折り名刺入れにあっては、紙体保持部が名刺を保持可能である。これにより、例えば名刺収容部に収容していた名刺や貰った名刺を紙体保持部に保持させてメモを記載することが可能となる。
【００１０】
請求項３記載の考案にあっては、上記紙体保持部は、互いに間隙を介して並設された一対の保持帯を有し、上記一対の保持帯は、それぞれの長さ方向における両端部が上記カバー部に縫着され、上記紙体の両端を挿し込んで上記紙体を保持することを特徴とする。
請求項３記載に係る二つ折り名刺入れにあっては、互いに間隙を介して並設された一対の保持帯に、紙体の両端を挿し込んで紙体を保持する。これにより、紙体が両端で保持されるので、紙体の位置及び姿勢が安定する。
【００１１】
請求項４記載の考案にあっては、上記一対の保持帯は、それぞれ上記カバー部の一対の短辺縁に沿って設けられていることを特徴とする。
請求項４記載に係る二つ折り名刺入れにあっては、カバー部の一対の短辺縁に沿って一対の保持帯が設けられているので、紙体の中央部にメモの記載スペースが大きく確保される。
【００１２】
請求項５記載の考案にあっては、上記一対の保持帯は、互いに上記間隙を介して対向するそれぞれの内側端が上記紙体の挿込部とされる一方、互いに背向するそれぞれの外側端が上記カバー部に縫着されていることを特徴とする。
請求項５記載に係る二つ折り名刺入れにあっては、保持帯の内側端が紙体の挿込部とされる一方、外側端がカバー部に縫着されているので、それぞれの保持帯において不意な外力による紙体の脱落方向が内側端側のみに制限される。
【考案の効果】
【００１３】
請求項１記載に係る二つ折り名刺入れにあっては、カバー部の内表面に紙体を保持させることができるので、この紙体にメモを記載することができる。
その結果、急な打ち合わせ等でメモを記載する必要性が生じた場合に、容易にメモし得る二つ折り名刺入れを提供することができる。
【００１４】
請求項２記載に係る二つ折り名刺入れにあっては、例えば名刺収容部に収容していた名刺や貰った名刺を紙体保持部に保持させてメモを記載することが可能となるので、入手が容易な名刺をメモ用紙に用いることができ、専用メモ用紙がない場合であっても、名刺にメモをとることができる。その結果、汎用性が高く、使い勝手が良い二つ折り名刺入れを提供することができる。
また、名刺サイズに裁断した専用のメモ用紙を収納しておき、当該メモ用紙にメモをとることもできる。
【００１５】
請求項３記載に係る二つ折り名刺入れにあっては、紙体が両端で保持されるので紙体の位置及び姿勢が安定するので、紙体がずれずに安定してメモを記載することができる。
その結果、メモを安定的に記載することができる二つ折り名刺入れを提供することができる。
【００１６】
請求項４記載に係る二つ折り名刺入れにあっては、紙体の中央部にメモの記載スペースが大きく確保される。その結果、メモを多く記載することができる二つ折り名刺入れを提供することができる。
【００１７】
請求項５記載に係る二つ折り名刺入れにあっては、それぞれの保持帯において不意な外力が加わった場合であっても、紙体の脱落方向が内側端側のみに制限されるので、紙体の脱落をより確実に防ぐことが可能となる。その結果、メモ内容の紛失が起こる割合を低減させることができ、情報セキュリティ性の高い二つ折り名刺入れを提供することができる。
【図面の簡単な説明】
【００１８】
【図１】本考案に係る二つ折り名刺入れの一実施の形態を示す外観斜視図であって、名刺収容部に対してカバー部を折り重ねた状態を図示している。
【図２】本考案に係る二つ折り名刺入れの一実施の形態を示す外観斜視図であって、名刺収容部に対してカバー部を展開した状態を図示している。
【図３】本考案に係る二つ折り名刺入れの一実施の形態を示す平面図であって、名刺収容部に対してカバー部を展開した状態を図示している。
【考案を実施するための最良の形態】
【００１９】
以下、添付図面に示す実施の形態に基づき、本考案に係る二つ折り名刺入れを詳述する。
【００２０】
図１及び図２は、本考案に係る二つ折り名刺入れ１の一実施の形態を示す外観斜視図であって、それぞれ異なる状態を図示している。図３は、二つ折り名刺入れ１の平面図であって、図２と同様の状態を図示している。
【００２１】
図３に示すように、二つ折り名刺入れ１は、平面視で矩形状に形成されていると共に内部に名刺Ｎを収容可能な名刺収容部１０と、名刺収容部１０の一端１０ａから延出していると共に名刺収容部１０に折り重ね可能なカバー部２０とにより構成されている。
【００２２】
以下、名刺収容部１０に対してカバー部２０を折り重ねた状態を単に「折り重ね状態」と、名刺収容部１０に対してカバー部２０を展開した状態を単に「展開状態」という。なお、図１は折り重ね状態を、図２及び図３は展開状態をそれぞれ図示したものである。
【００２３】
名刺収容部１０は、図１及び図２に示すように、折り重ね状態及び展開状態に関係なく常に外方に露出する外板部１１と、折り重ね状態でカバー部２０に対向する内板部１２と、図２に示すように、外板部１１と内板部１２とに連結された一対のマチ部１３Ａ，１３Ｂと、名刺収容部１０の厚さ方向において外板部１１と内板部１２との間に配置された仕切板部１４とにより構成されている。
【００２４】
図２に示すように、外板部１１及び内板部１２は、一枚の皮革が折返部１５を介して折り返されて形成されている。これら外板部１１及び内板部１２は、図３に示すように、夫々、平面視で横長長方形状に形成されている。
【００２５】
一対のマチ部１３Ａ，１３Ｂは、合成繊維の布状部材で形成されており、それぞれ仕切板部１４を介して、外板部１１及び内板部１２に連結されている。具体的には、外板部１１の短辺部１１Ａと内板部１２の短辺部１２Ａとにマチ部１３Ａが連結されており、外板部１１の短辺部１１Ｂと内板部１２の短辺部１２Ｂとにマチ部１３Ｂが連結されている。マチ部１３Ａ，１３Ｂの幅寸法は、それぞれ折返部１５側から離間するに従って漸次大きくなっている。
【００２６】
仕切板部１４は、合成樹脂の薄板部材で、上記外板部１１及び内板部１２と同一の大きさの長方形状に形成されている。図２に示すように、仕切板部１４は、短辺部１４Ａ，１４Ｂがマチ部１３Ａ，１３Ｂの幅方向中央の部位にそれぞれ縫着されている。
【００２７】
このような構成の名刺収容部１０は、図１及び図２に示すように、折返部１５近傍を回動中心にした円弧の軌跡で、内板部１２が外板部１１に対して近接・離間可能となっている。そして、図２に示すように、外板部１１と内板部１２と一対のマチ部１３Ａ，１３Ｂとが区画する名刺Ｎの収容空間を仕切板部１４が二つに仕切っている。
【００２８】
カバー部２０は、図３に示すように、平面視で上記外板部１１及び内板部１２と同一の大きさの長方形状に形成されている。このカバー部２０は、図２に示すように、上述した外板部１１及び内板部１２と共に一枚の皮革で構成されており、外板部１１に連続している。そして、図１及び図２に示すように、カバー部２０は、名刺収容部１０（より詳細には外板部１１）の一端１０ａから延出する折曲部２０ａを折り曲げることによって名刺収容部１０に折り重ね可能となっている。
【００２９】
図２及び図３に示すように、カバー部２０には、折り重ね状態において名刺収容部１０の内板部１２に対向するカバー部２０の内表面２０ｂに、名刺Ｎ（紙体）を保持可能な一対の保持帯（紙体保持部）２１Ａ，２１Ｂが形成されている。
【００３０】
図３に示すように、一対の保持帯２１Ａ，２１Ｂは、それぞれ帯状に形成された皮革で形成されており、互いに間隙Ｇ（名刺Ｎの長さ寸法よりも短い寸法）を介して並設されている。これら一対の保持帯２１Ａ，２１Ｂは、カバー部２０の一対の短辺縁２０Ａ，２０Ｂに、幅方向に沿って配設されている。また、図３に示すように、一対の保持帯２１Ａ，２１Ｂは、それぞれの長さ方向の両端縁（両端部）２１ｃ，２１ｄのうち一方の端縁２１ｃを、カバー部２０の長辺縁２０Ｃの一部に沿ように配設されている。なお、図２及び図３において、符号３０で示すのは、皮革の縁を薄く削いで折り返した縁返（へりかえし）部である。
【００３１】
このような一対の保持帯２１Ａ，２１Ｂは、互いに背向する（短辺縁２０Ａ，２０Ｂに近接する）それぞれの外側端２１ｅと、それぞれの両端縁２１ｃ，２１ｄとが、カバー部２０に縫着されている。そして、互いに間隙Ｇを介して対向するそれぞれの内側端２１ｆが名刺Ｎの挿込部とされている。なお、外側端２１ｅと端縁２１ｃは、縁返部３０によって被覆されている。
【００３２】
このような構成により、一対の保持帯２１Ａ，２１Ｂは、名刺Ｎの両端Ｎａ，Ｎｂを挿し込んで名刺Ｎを保持することが可能である。一対の保持帯２１Ａ，２１Ｂは、カバー部２０の一対の短辺縁２０Ａ，２０Ｂに沿って縫着されていることから、名刺Ｎの中央部Ｎｃにメモの記載スペースが大きく確保される。
【００３３】
続いて、二つ折り名刺入れ１に対する名刺又は名刺サイズのメモ用紙Ｎの取り付け方法の一例について説明する。
【００３４】
まず、貰った名刺や自分の名刺又は名刺サイズのメモ用紙Ｎ（以下、「名刺等Ｎ」と称する）の長さ方向の両端Ｎａ，Ｎｂのうちの一方を、一対の保持帯２１Ａ，２１Ｂのうち一方の内側端２１ｆに挿し込む（図３参照。この説明においては、名刺等Ｎの一端Ｎａを最初に保持帯２１Ａに挿し込むこととする。）。
【００３５】
次に、名刺等Ｎの他端Ｎｂ側を指でカバー部２０の内表面２０ｂに押し付けて、この状態で名刺等Ｎの他端Ｎｂ側を一端Ｎａ側に向けて擦動させる。そうすると名刺等Ｎの一端Ｎａの変位が保持帯２１Ａによって規制されることによって、名刺等Ｎが長さ方向に撓む。次いで、名刺等Ｎを撓ませた状態で、名刺等Ｎの他端Ｎｂを、カバー部２０の裏表面２０ｂに擦動させながら保持帯２１Ｂの内側端２１ｆに挿し込む。
以上の動作で名刺等Ｎの取り付けが完了する。なお、名刺等Ｎは表裏に関係なく一対の保持帯２１Ａ，２１Ｂに取り付けることが可能である。
【００３６】
このような簡単な動作で名刺等Ｎを取り付けることができるので、一対の保持帯２１Ａ，２１Ｂに事前に名刺等Ｎを取り付けていなかった場合において急にメモが必要となったときでも、速やかに名刺等Ｎを一対の保持帯２１Ａ，２１Ｂに取り付けてメモの記載を開始することができる。
なお、上記の名刺等Ｎの取り付け方法は、あくまでも一例であって上記のものに限定されない。例えば、名刺等Ｎの両端Ｎａ，Ｎｂを摘まむようにして両側から名刺等Ｎを撓ませて、この名刺等Ｎの両端Ｎａ，Ｎｂを一度に一対の保持帯２１Ａ，２１Ｂに挿し込んでもよい。
【００３７】
続いて、二つ折り名刺入れ１の名刺等Ｎへのメモの記載のし易さについて説明する。
まず、二つ折り名刺入れ１の一対の保持帯２１Ａ，２１Ｂに名刺等Ｎが保持されると、名刺Ｎ等が長さ方向の両端Ｎａ，Ｎｂで保持されるので名刺等Ｎの位置及び姿勢が安定する。このため、名刺等Ｎがずれずに安定してメモを記載することができる。さらに、メモを記載する名刺等Ｎの裏側に位置するカバー部２０が台紙として機能することから、より安定的にメモを記載することができる。
【００３８】
さらに、カバー部２０を把持してメモを記載するようにすれば、対面者からメモを記載している名刺等Ｎやメモ内容が視認し難くなる。つまり、名刺等Ｎを目立たさずにメモの記載やメモの参照をすることができる。仮に、貰った名刺等Ｎにメモを記載する場合には、名刺等Ｎを貰った相手にメモを気付かれ難いので、相手の気分を害し難く、打ち合わせの円滑進行に寄与することとなる。
【００３９】
続いて、二つ折り名刺入れ１の名刺等Ｎの保持継続性について説明する。
メモの記載が終了して二つ折り名刺入れ１を持ち運ぶ際には、通常の使用態様において二つ折り名刺入れ１が折り重ね状態となる。この状態においては、名刺Ｎがカバー部２０の内表面２０ｂに保持されることから、名刺等Ｎが名刺収容部１０とカバー部２０とに保護される。
さらに、一対の保持帯２１Ａ，２１Ｂは、それぞれの外側端２１ｅと、それぞれの両端縁２１ｃ，２１ｄとが、カバー部２０に縫着されていることにより、名刺等Ｎの脱落方向が内側端２１ｆ側のみに制限される。
これらのために、二つ折り名刺入れ１が不意な外力を受けたときであっても、一対の保持帯２１Ａ，２１Ｂに取り付けた名刺Ｎが容易に脱落せず、メモした名刺等Ｎを紛失し難い。
さらに、二つ折り名刺入れ１の持ち運び時に名刺等Ｎが外部に露出しないので、名刺等Ｎに記載したメモの内容が外部に流出し難くなる。
【００４０】
以上説明したように、本実施形態に係る二つ折り名刺入れ１にあっては、名刺等Ｎを保持可能な一対の保持帯２１Ａ，２１Ｂがカバー部２０の内表面２０ｂに配設されている。これにより、カバー部２０の内表面２０ｂに名刺Ｎを保持させることができるので、この名刺等Ｎにメモを記載することができる。
その結果、二つ折り名刺入れ１にあっては、急な打ち合わせ等でメモを記載する必要性が生じた場合に容易にメモをし得る。
【００４１】
また、一対の保持帯２１Ａ，２１Ｂが名刺等Ｎを保持可能であるので、例えば名刺収容部１０に収容していた名刺Ｎや貰った名刺等Ｎを一対の保持帯２１Ａ，２１Ｂに保持させてメモを記載することが可能となる。これにより、入手が容易な名刺等Ｎをメモ用紙に用いることができる。従って、専用メモ用紙の必要性を低下させることができる。
その結果、二つ折り名刺入れ１にあっては、高い汎用性を得ることができ、使い勝手を良くすることができる。
【００４２】
また、互いに間隙Ｇを介して並設された一対の保持帯２１Ａ，２１Ｂに、名刺等Ｎの両端Ｎａ，Ｎｂを挿し込んで名刺等Ｎを保持する。これにより、名刺等Ｎが両端Ｎａ，Ｎｂで保持されるので、名刺等Ｎの位置及び姿勢が安定する。従って、名刺等Ｎがずれずに安定してメモを記載することができる。その結果、二つ折り名刺入れ１にあっては、メモを安定的に記載することができる。
【００４３】
また、カバー部２０の一対の短辺縁２０Ａ，２０Ｂに沿って一対の保持帯２１Ａ，２１Ｂが配設されているので、名刺等Ｎの中央部Ｎｃにメモの記載スペースが大きく確保される。その結果、二つ折り名刺入れ１にあってはメモを多く記載することができる。
【００４４】
また、保持帯２１Ａ，２１Ｂの内側端２１ｆが名刺等Ｎの挿込部とされる一方、外側端２１ｅがカバー部２０に縫着されているので、それぞれの保持帯２１Ａ，２１Ｂにおいて不意な外力による名刺Ｎの脱落方向が内側端２１ｆ側のみに制限される。従って、名刺等Ｎの脱落をより確実に防ぐことが可能となる。
その結果、二つ折り名刺入れ１にあっては、メモ内容の紛失が起こる割合を低減させることができ、高い情報セキュリティ性を得ることができる。
【００４５】
さらに、名刺等Ｎを取り外す際には、上記に例示した取り付け方法と逆の手順によって容易に取り外すことができる。つまり、二つ折り名刺入れ１からメモした名刺等Ｎを別に保存したり、メモした名刺等Ｎを第三者に渡したりすることが容易である。また、名刺等Ｎを取り外した状態で二つ折り名刺入れ１を使用することが可能であるので、メモ不要時には名刺等Ｎを取り外すことで、使用環境に柔軟に対応することができる。
【００４６】
なお、二つ折り名刺入れ１のように、弾性を持った皮革部材で一対の保持帯２１Ａ，２１Ｂを形成すれば、一対の保持帯２１Ａ，２１Ｂに複数枚の名刺等Ｎを容易に保持させることもできる。このため、一対の保持帯２１Ａ，２１Ｂに複数枚の名刺等Ｎを保持させて、一枚目の名刺等Ｎの記載スペースがなくなったら、一枚目を取り除いて二枚目以降にメモを継続して記載する使用方法も考えられる。
【００４７】
以上、本考案の一実施形態を説明したが、本考案は上述した実施形態に限らず、種々の設計変更が可能である。例えば、上述した実施形態においては、一対の保持帯２１Ａ，２１Ｂに名刺等Ｎを保持させてメモを記載する構成としたが、名刺Ｎの代わりに専用のメモ用紙（紙体）を用いてもよい。また、名刺サイズに限られず、他のサイズのメモ用紙に合わせて一対の保持帯２１Ａ，２１Ｂの各寸法を設計変更してもよい。
【００４８】
また、上述した実施形態においては、名刺収容部１０の外板部１１及び内板部１２と、カバー部２０とを皮革部材で、マチ部１３Ａ，１３Ｂを合成繊維の布部材で、仕切板部１３を合成樹脂の板状部材で、それぞれ形成したが、これらの材質には、天然皮革、合成皮革、合成樹脂、合成繊維、天然繊維、紙等を相互に適用可能である。なお、仕切板部１４は、省略してもよい。
【００４９】
また、上述した実施形態においては、外板部１１と内板部１２と一対のマチ部１３Ａ，１３Ｂとで名刺Ｎの収容空間を形成したが、他の構成で収容空間を形成してもよい。また、カバー部２０の外表面と裏表面２０ｂとの間に補助的な収容空間としてのポケットを形成してもよい。
【００５０】
また、上述した実施形態においては、一対の保持帯２１Ａ，２１Ｂで名刺Ｎを保持する構成としたが、カバー部２０を二層構造にして裏面２０ｂから裏表層にスリットを形成し、このスリットに名刺Ｎを挿し込んで保持する構成にしてもよい。また、カバー部２０の裏面２０ｂの隅部に帯状体を設けて名刺Ｎの角部を保持する構成にしてもよい。
【００５１】
また、上述した実施形態においては、一対の保持帯２１Ａ，２１Ｂをカバー部２０に縫着したが、一対の保持帯２１Ａ，２１Ｂをカバー部２０に接着してもよいし、鋲等で止めてもよい。
また、上述した実施形態においては、一対の保持帯２１Ａ，２１Ｂの外側端２１ｅを縫着したが、これは名刺Ｎの脱落方向を限定して情報セキュリティ性を向上させるための措置であるから、必ずしも外側端２１ｅをカバー部２０に縫着する必要はない。
【符号の説明】
【００５２】
１…二つ折り名刺入れ
１０…名刺収容部
１０ａ…一端
２０…カバー部
２０ａ…折曲部
２０ｂ…内表面
２０ｃ…両端部
２１ｄ…両端部
２１ｅ…外側端
２０Ａ，２０Ｂ…一対の短辺縁
２０ｂ…内表面
２１Ａ，２１Ｂ…一対の保持帯（紙体保持部）
２１ｃ，２１ｄ…両端縁（両端部）
２１ｅ…外側端
２１ｆ…内側端
Ｇ…間隙
Ｎ…名刺又は名刺サイズのメモ用紙（紙体）
Ｎａ，Ｎｂ…両端
Ｎｃ…中央部
【図１】
0003178070.tif 000003
【図２】
0003178070.tif 000004
【図３】
0003178070.tif 000005